(57)【特許請求の範囲】
【請求項１】
軸筒の側面にノック部材が配置された筆記具であって、前記ノック部材を軸筒の円周上の全周に亘って囲繞するように設け、前記ノック部材の操作によって前後動する駒台を該ノック部材に係合させ、前記ノック部材の操作を筆記体に伝達するための少なくとも一部材からなる伝達部を有し、前記ノック部材の操作を前記筆記体に伝達するために当接する伝達当接部間に、少なくとも１つ間隙を設けると共に、前記ノック部材を、該ノック部材の前部或いは後部を支点とし、軸筒に対して揺動可能に配置すると共に、前記ノック部材の他端部を前記駒台に係合させ、また、前記支点を、前記ノック部材の囲繞部における押圧側に対して、軸筒における軸線を挟んだ反対側の位置に設けたことを特徴とする筆記具。
【請求項２】
請求項１に記載の筆記具であって、前記伝達部のうち、少なくとも１部材を弾発部材によって後方に付勢したこと特徴とする筆記具。
【請求項３】
軸筒の側面にノック部材が配置された筆記具であって、前記ノック部材を軸筒の円周上の全周に亘って囲繞するように設け、前記ノック部材を、該ノック部材の前部或いは後部を支点とし、軸筒に対して揺動可能に配置すると共に、前記ノック部材の他端部を、前記ノック部材の操作によって前後動する駒台に係合させ、前記支点を、前記ノック部材の囲繞部における押圧側に対して、軸筒における軸線を挟んだ反対側の位置に設けたことを特徴とする筆記具。
【請求項４】
請求項１〜３の何れかに記載の筆記具であって、前記支点において、ノック部材と軸筒との間に弾性体を介在せしめたことを特徴とする筆記具。
【請求項５】
請求項１〜４の何れかに記載の筆記具であって、クリップと棒状体繰り出し装置を有し、前記クリップの回転と棒状体の繰り出しを連動させたことを特徴とする筆記具。
【請求項６】
請求項１〜５の何れかに記載の筆記具であって、前記ノック部材の前端近傍及び／又は後端近傍の軸筒の径を、前記ノック部材の最大外径よりも大きくしたことを特徴とする筆記具。
【発明の詳細な説明】
【技術分野】
【０００１】
本発明は、軸筒の側面にノック部材が配置された筆記具に関する。
【背景技術】
【０００２】
一例として特開２００６−７６２７４があり、その特許請求の範囲には、「軸をグリップ位置後部で前後に分断し、軸と中心線を共有する中軸を軸の中に設け、前軸と中軸の間に滑動可能なすきまばめ的に配置した伝達ピン穴を有し、軸と中心線を共有する円筒形の部品を伝達子としその後部に調整用の座金を介して伝達子に接する状態で同様に配置した円筒形部であって非ノック時はしんチャックの行程より少し長く軸の外部に出ている後部に軸外径と同じ外径の円筒形部を有し、軸外径と同じ外径の底面と中軸外径と同じ外径の上底を持つ円錐台を前記の円筒形部に底面が接合する向きにして一体化し軸と中心線を共有し滑動可能なすきまばめ的に配置した部品を従動子とし、非ノック時は軸と中心線を共有し、軸と内外径とも同じでノックに適した長さの円筒形の部品の前端部を従動子の円錐台部側面に接触させ配置してノックボタンとし、従動子と同形状で前後を反転させた円錐台部側面にノックボタンの後端部を接触させ、円錐台部と軸外径と同じ外径の円筒形部は中軸にしまりばめ的に固定し、軸内径と同じ外径の円筒形部は後軸と中軸の間にしまりばめ的に固定し固定子とし、中軸に、伝達ピン穴に伝達ピンを装入時に伝達ピンが滑動可能なスリットをしんチャックの行程に支障のない長さにあけ、中軸内に伝達ピン穴を有し軸と中心線を共有する円筒形部と円錐台形の空間を持つ部分が一体となり中心部にしんの通り穴を設け滑動可能なすきまばめ的に配置した部品を中軸内伝達子とし伝達ピンで伝達子と結合しノック機構を構成しいるノック機構を有するサイドノック式シャ−プペンシル」と記載されている。
つまり、軸筒の全周から軸線方向に向かって筆記体を繰り出すためのノック操作が可能となり、軸側面のノックボタンの方向を気遣わず、軸を握りかえることなくノックすることができる出没式筆記具が開示されている。
【特許文献１】特開２００６−７６２７４公報
【発明の開示】
【発明が解決しようとする課題】
【０００３】
しかしながら、上記従来技術にあっては、ノック部材の前部と後部に二つの摺動面を持つこととなり、ノック部材の前方と後方とで別々に押圧されるため、押圧のバランスが難しく、一度押圧するたびに２回のノック操作感を与えてしまっていた。さらに、ノックボタンの押圧位置によっては、ノック中にノック部材がぐらついてノック操作に違和感を生じたり、筆記体の繰り出しに支障をきたすという問題点があった。
また、筆記体に筆記圧がかかった際に、ノック部分に軽く指が触れていた場合、筆記体がわずかな力でも没入してしまうという問題点があった。特に、本従来技術のよう円周上のいずれの方向にもノック部分が存在する筆記具においてはノック部分に指が触れる可能性が非常に高く、この問題点が顕著であった。
【０００４】
本発明は、上記問題点を解決し、軸筒の全周から軸線方向に向かって筆記体を繰り出すためのノック操作が可能な筆記具においても、ノック操作による不安定感を意識することなく確実に筆記体を繰り出すことができ、さらに、ノック部分に指が触れることによる筆記体の没入を防止する筆記具を提供することを目的とする。
【課題を解決するための手段】
【０００５】
請求項１記載の発明は、軸筒の側面にノック部材が配置された筆記具であって、前記ノック部材を軸筒の円周上の全周に亘って囲繞するように設け、前記ノック部材の操作によって前後動する駒台を該ノック部材に係合させ、前記ノック部材の操作を筆記体に伝達するための少なくとも一部材からなる伝達部を有し、前記ノック部材の操作を前記筆記体に伝達するために当接する伝達当接部間に、少なくとも１つ間隙を設けると共に、前記ノック部材を、該ノック部材の前部或いは後部を支点とし、軸筒に対して揺動可能に配置すると共に、前記ノック部材の他端部を前記駒台に係合させ、また、前記支点を、前記ノック部材の囲繞部における押圧側に対して、軸筒における軸線を挟んだ反対側の位置に設けたことを特徴とする。
【０００６】
請求項２記載の発明は、請求項１に記載の筆記具であって、前記伝達部のうち、少なくとも１部材を弾発部材によって後方に付勢したことを特徴とする。
【０００７】
請求項３記載の発明は、軸筒の側面にノック部材が配置された筆記具であって、前記ノック部材を軸筒の円周上の全周に亘って囲繞するように設け、前記ノック部材を、該ノック部材の前部或いは後部を支点とし、軸筒に対して揺動可能に配置すると共に、前記ノック部材の他端部を、前記ノック部材の操作によって前後動する駒台に係合させ、前記支点を、前記ノック部材の囲繞部における押圧側に対して、軸筒における軸線を挟んだ反対側の位置に設けたことを特徴とする。
【０００８】
請求項４記載の発明は、請求項１〜３の何れかに記載の筆記具であって、前記支点において、ノック部材と軸筒との間に弾性体を介在せしめたことを特徴とする。
【０００９】
請求項５記載の発明は、請求項１〜４の何れかに記載の筆記具であって、クリップと棒状体繰り出し装置を有し、前記クリップの回転と棒状体の繰り出しを連動させたことを特徴とする。
【００１０】
請求項６記載の発明は、請求項１〜５の何れかに記載の筆記具であって、前記ノック部材の前端近傍及び／又は後端近傍の軸筒の径を、前記ノック部材の最大外径よりも大きくしたことを特徴とする。
【００１１】
なお、本明細書中における前とは、筆記具長手方向に対して筆記体が繰り出される方向を指し、後とはその逆方向を指す。
【発明の効果】
【００１２】
請求項１記載の発明によれば、軸筒の全周から軸線方向に向かって筆記体を繰り出すためのノック操作が可能な筆記具においても、ノック操作による不安定感を意識することなく確実に筆記体を繰り出すことができ、さらに、ノック部分に指が触れることによる筆記体の没入を防止する。また、ノック部材が揺動可能なため、ノック方向が軸筒における軸線と垂直方向でなくともノック可能となる。そのため、異なるノック操作を得ることでノック操作感のよいものとすることができるだけでなく、わずかにノック方向がずれた場合でも確実に筆記体の繰り出しを行うことができる。そして、ノック部材の揺動時の支点の位置を規定することにより、軸筒が太くなったり、ノックが重くなることがなく、ノックストロークを大きなものとすることができる。
【００１３】
請求項２記載の発明によれば、さらに強い力でノック部材に触れたときにおいても、筆記体の没入を防止することができる。
【００１４】
請求項３記載の発明によれば、軸筒の全周から軸線方向に向かって筆記体を繰り出すためのノック操作が可能な筆記具においても、ノック操作による不安定感を意識することなく確実に筆記体を繰り出すことができ、さらに、ノック部材の揺動時の支点の位置を規定することにより、軸筒が太くなったり、ノックが重くなることがなく、ノックストロークを大きなものとすることができる。
【００１５】
請求項４記載の発明によれば、弾性体によって、円滑なノック操作感が得られる。
【００１６】
請求項５記載の発明によれば、クリップの回転によって後方の棒状物を突出させた場合においても、軸筒の全周から軸線方向に向かって芯を繰り出すためのノック操作が可能なため、クリップの位置にかかわらず棒状物を突出状態に保ったままでも、ノック操作に支障をきたすことがないものとすることができる。
【００１７】
請求項６記載の発明によれば、筆記時にノック部材に指を触れにくくすることができ、さらに確実に芯の没入を防止することができる。
【発明を実施するための最良の形態】
【００１８】
図１〜３に基づいて本発明の一形態を説明する。軸筒１ａは、後軸１と前軸２と中軸１１とから構成されており、その前軸２の外周部、即ち、筆記の際に握る部分には円筒状のゴム状弾性体からなるグリップ３が円周上の全域に渡って設けられ嵌着しているが、液状ゴムやウレタン樹脂などを部分的に塗布し固化したり、半球状の樹脂球を前軸２の表面に接着固定したりしても良く、或いは、前軸２の外周に微細なローレット状の凹凸を形成しその前軸２自体をグリップ３としても良い。
【００１９】
前軸２の内部には、チャック体４などを進退させる押圧摺動子５が設けられており外周に段５ａを設けている。その押圧摺動子５の後方には１本以上（本例においては、対向した位置に設置された２本）から成る棒状の押圧伝達子６が一体形成されているが、各々を別部材で構成してもよい。その押圧伝達子６は、前軸２の中間仕切り壁２ａに形成されている貫通孔７を摺動自在に貫通し、その前軸２に対して前後動が可能なものとなっている。
【００２０】
また、後軸１と前軸２を連結している中軸１１には、軸線を中心に円周上に亘るノック部材８が介在しているが、そのノック部材８は前記仕切り壁２ａの後方に延設された中軸１１を囲繞した状態で配置されている。ノック部材８の内周径は前端に向かうにしたがって拡がっている。その内周径の最小径部に相当する小径部９の上側には弾性体からなる弾性リング１０が軸筒１ａとノック部材８の間にリング状となって嵌入している。一方、ノック部材８の内径部は、前記小径部９から前方に向けて円錐状に拡径しており、ノック部材８の前端部で最大内径となる大径部１２となっている。ノック部材８を操作する際、弾性リング１０を配置した場合にはノック部材後端周上のいずれか１点と軸筒に設けられた弾性リング１０との接点が支点となる。また、ノック部材の支点はノック部材前端の周上に設けてもよい。また、ノック時、非ノック時のいずれにおいても前端部は駒台１３に係合している。このため、いずれの方向からノックしてもノック部材がはずれることなくノックすることができる。このとき、非ノック時におけるノック部材８と駒台１３の当接部を当接部１３ｂと表記する。また、弾性リング１０は、必須ではないが、ノック部材８と操作時の前軸２とノック部材８との擦れ合い強度を考慮すると、弾性リング１０を設けた方が好ましい。弾性リング１０はノック部材８と一体であっても別体であってもよい。弾性リング１０を設けることで、スムーズなノック操作感を得ることができる。
なお、厳密には、弾性リング１０が変形するためノック部材との接点は面となるが、本明細書中においては、ノック部材８の揺動を基準として、支点の位置を定義する。そのため、支点が部材上にない場合もある。さらに、弾性リング１０を配置しない場合の本例においては、ノック部材後端周上のいずれか１点と軸筒との接点がノック時における支点となるが、ノック部材後端周上と軸筒が面接触するような場合においても、同様にノック部材８の揺動を基準とする。
【００２１】
ノック部材８の前方には、そのノック部材８の大径部１２に係合する傾斜した円錐面１３ａが全周に亘って形成された駒台１３が配置されており、その駒台１３は前軸２の中軸１１に対して前後摺動可能な貫通穴１４を形成している。即ち、駒台１３は、中軸１１を囲繞した状態で配置されていると共に、ノック部材８の前方を軸線方向に押し込むことで駒台１３が前方に向けて移動する。この駒台１３の前方への移動によって、その動作が押圧摺動子５の押圧伝達子６に伝達され、これによって押圧摺動子５も前方に向けて移動するのである。このとき、ノック部材８の大径部１２と駒台１３の円錐面１３ａは擦れ合いによる摺動抵抗が発生するが、その摺動抵抗を軽減するため前記大径部１２は曲面形状となっている。軸筒の全周から軸線方向に向かって筆記体を繰り出すためのノック操作が可能であるため、前記曲面形状は大径部１２の全周に亘って形成した。なお、駒台１３は必ずしも軸筒の全周に亘って中軸１１を囲繞している必要はなく、例えば３つ割りや４つ割り等、ノック部材の操作が伝わるものであればよい。
【００２２】
軸筒内部には、その軸筒に対して前後動可能な芯筒１８が配置されており、その芯筒１８の前方には受け板１９が固定されている。また、芯筒１８は、押圧摺動子５を貫通していると共に、その押圧摺動子５の前端部には受け板１９の後端部が接触している。その受け板１９の前方にはチャックリング２０を被嵌した２つ割りや３つ割りのチャック体４が固定されている。そのチャック体４は芯の把持・解放を行うものであり、チャックリング２０はチャック体４の開閉を行うものである。チャック体４としての作動は従来技術と同様であり、チャック体４を押圧摺動子５により後部から押圧すると、芯を把持したチャック体４が前進し芯が繰り出され、次いで、チャック体４が拡開し芯を開放する。ここで押圧操作を解除すると、チャック体４は芯を開放した状態で後退・復帰するが、やがて再び芯を把持する。尚、前記芯筒１８には、少なくとも２本以上の芯が蓄えられるものである。
なお、本明細書中では、芯筒１８、受け板１９、チャックリング２０、チャック体４、芯筒１８に内蔵された芯を合わせたシャープペンシルユニットを筆記体と表記する。また、ボールペン等に使用する場合はボールペンリフィルを筆記体と表記する。
【００２３】
また、前軸２の前方には、締筒２１が連結部２２で凹凸嵌合により着脱不能に連結・固定されている。その締筒２１の前方には先金２３が螺着などの手段によって着脱自在に固定されている。締筒２１は前軸２と一体に形成されたものであってもよい。その先金２３の内部には、ゴム状弾性体からなる芯戻り止め部材２４が圧入・固定されている。尚、符号２５は前記チャック体４や芯筒１８などを後方に向けて付勢するコイルスプリングなどの弾発部材である。後軸１と前軸２の連結は、前軸２の仕切り壁２ａから後部に向けて延設形成された中軸１１が後軸１の内側に形成された貫通孔２６に嵌まり込むことによってなされているが、後軸１と前軸２の連結部２７で凹凸嵌合されることによって着脱不能に連結・固定される。
【００２４】
ここで、芯に筆記圧がかかった際の芯没入防止効果について説明する。芯に筆圧がかかった際は、芯戻り止め部材による摩擦力と、チャック体が後退しチャックリングによってチャック体が締め付けられることによって得られる芯把持力の増加の２つの作用で、より強固な芯没入防止効果を持つ。仮にチャックが後退することができなければ、芯把持力を増加させることができず、筆記の際、簡単に芯が没入することになる。また、前述のチャック後退作用は軽くノック部分に指が触れているだけでも阻害されてしまう。そこで、本例においては、駒台１３と押圧伝達子６の間に間隙８ａを設けた。この間隙８ａがあることで、ノック部に軽く指が触れてもチャック後退作用を阻害することはない。本発明のよう円周上のいずれの方向にもノック部分が存在する筆記具においてはノック部分に指が触れる可能性が非常に高い。そのため、上記構成によるチャックの後退を阻害する要因を防止することは、非常に有効な手段となる。
なお、この間隙８ａはこの位置に限定されるものではなく、ノック部材８の操作を筆記体に伝達するために当接する伝達当接部８ｄ間のうち、少なくとも１つに間隙を有すればよい。換言すると、ノック部材８の前端からチャック体４の被伝達部８ｂの間における駒台の前後動作を伝達する部材間の少なくとも一つの部材間にあればよい。本例においてはノック時にノック部材の動作によって、駒台１３が前進し、その前進動作が、駒台１３の前方に配置された押圧伝達子６に伝達され、さらに押圧伝達子６の前方に配置されたチャック体４へ被伝達部８ｂを介して伝達される。そこで、駒台１３、押圧伝達子６、押圧摺動子５の３部材を合わせて伝達部８ｃと表記し、ノック部材８の操作が筆記体に伝達するために当接する部分を伝達当接部８ｄと表記する。すなわち、間隙８ａは図２に示すとおり、ノック部材８と駒台１３の間、駒台１３と押圧伝達子６の間、押圧伝達子６と押圧摺動子５の間、押圧摺動子５とチャック体４の被伝達部８ｂの間のうち、すくなくとも１つに有すればよい。また、ノック部材８と駒台１３の間に間隙８ａを設けた場合は、ノック部材８は前後に移動可能に係止されることになるため、筆記具前方を下に向けた場合には、ノック部材８の後端と後軸１の間に間隙ができることとなる。なお、伝達部８ｃは複数の部材からでも１部材から形成されていてもよい。
【００２５】
また、ノック部材８の外周には、円筒状にゴム状弾性体などからなる軟質部材２８が嵌着しているが、前記グリップ３と同様に、液状ゴムやウレタン樹脂などを部分的に塗布し固化したり、半球状の樹脂球をノック部材８の表面に接着固定したりしても良く、あるいは、ノック部材８の外周に凹凸を形成しそのノック部材８自体で滑り止め効果を得ても良い。また、前記ノック部材８の外形は釣鐘状になっているが、指などで操作する場合に支障が無い形状なら特に限定はされず、例えば、表面に指先や指の腹部に合わせた凹凸形状やローレット形状を施しても良い。
【００２６】
尚、前記ゴム状弾性体からなる軟質部材２８を嵌着、或いは、外周に微細なローレット状の凹凸を形成したノック部材８により、指先や指の腹部で操作する際にグリップ力が向上すると共に、円周上の何れの箇所においてもノック部材８の操作が容易なものとなる。また、ゴム状弾性体で形成した場合には、指先や指の腹部での押圧による軸本体に掛かる負担が軽くなる。また、後軸１の後部には、消しゴム２９とその消しゴム２９を覆うようにキャップ３０が着脱自在に取り付けられている。そのキャップ３０の側面にはクリップ３１が一体形成されているが、後軸１の後方に一体形成しても良い。
【００２７】
ここで図４、５に基づいて他の変形例を示す。本例は、図５にあるようにノック部材８等の中軸１１に囲繞するように設けた部材を、二つ割りにして固定部８ｅにて固定するものである。図１〜３における例では囲繞するように設けた部材は、組み立て時に後軸１を前軸２に係合させる前に、中軸１１に挿入する必要がある。しかし、本例のようにノック部材８等を２つ割りにし、後から中軸１１に固定するような構成とすることで、組み立て時の作業手順の自由度を増すことができ、より自由な設計をすることができる。
なお、ノック部材８等は必ずしも二つ割りにて形成する必要はなく、弾力のある部材でＣ型に形成するなどして、中軸１１にはめ込むことができるものであればよい。
【００２８】
次に動作について図６に基づいて説明する。図６は、ノック部材８を円周上のいずれかから軸筒の軸線に対して押し込むことでチャック体４などのシャープペンシルユニットを前進させ、芯の繰り出しを行う様子を示したものである。ノック部材８を図２に示す状態から軸本体の軸線に対して中心方向に押し込むと、ノック部材８は弾発部材２５の弾発作用により、ノック部材８と中軸１１との間に配置している弾性リング１０を支点とし、ノック部材８が揺動する。このとき、ノック部材８の大径部１２の当接周縁部は、駒台１３の円錐面１３ａを擦り上がり、中軸１１に近接する。そのノック部材８の移動と相まって、駒台１３は前軸２の中軸１１を前後摺動可能に貫通、案内されているため、駒台１３は前軸２の中軸１１に対して前進する。このとき押圧摺動子５の押圧伝達子６も前軸２に対して前後摺動可能に貫通し案内されているため、前軸２に対して前進する。その押圧摺動子５の前進に伴い、その押圧摺動子５に固定されている芯筒１８や受け板１９や、その受け板１９に固定されたチャック体４も前進する。そして、チャック体４の前進に伴い、芯が前進し繰り出されるが、やがて、チャック体４が拡開し芯を開放する。このとき、弾発部材２５は受け板１９が前進した分圧縮されることになる。
【００２９】
ここで、ノック部材８の押圧操作を解除すると弾発部材２５の復元作用により、駒台１３が後方に向けて移動すると共に、大径部１２の当接周縁部が駒台１３の斜面により案内され元の状態へと復帰する。これらの移動、並びに、復帰動作と相まって、駒台１３や前記弾発部材２５、受け板１９、チャック体４、チャックリング２０、並びに、押圧摺動子５が元の位置へと復帰し、この際、芯は再びチャック体４に把持される。なお、芯を没入させたいときは、ノック部材８を押圧することによって、チャック体４が開放され、その状態で筆記体となる芯を紙面に押し付けることで、没入させることができる。
また、本例においては押圧摺動子５の規制部を駒台１３の前端と仕切り壁２ａ後端の当接部としたが、ノック時におけるノック部材前端と芯筒の当接部、押圧摺動子５の段５ａと前軸内面との当接部などとなるように形成しても良い。
【００３０】
また、ここで図７に基づいて、揺動時の支点をノック部材８の前端に設けた例を示す。ノック部材８の内径部は、小径部９から後方に向けて円錐状に拡径しており、ノック部材８の後端部で最大内径となる大径部１２となっている。ノック部材８の下側には、大径部１２に係合する傾斜した円錐面１３ａが全周に亘って形成された円錐部１３ｃが後軸１に形成されており、ノック部材８の後方を軸線方向に押し込むことで大径部１２に係合する傾斜した円錐面１３ａをノック部材８が下方に向けて移動する。このノック部材８の下方への移動によって、その動作が中軸１１に対して上下摺動可能な貫通穴１４を形成している駒台１３とそれに接する押圧摺動子５の押圧伝達子６に伝達され、これによって押圧摺動子５も下方に向けて移動するのである。このとき、大径部１２と円錐面１３ａは擦れ合いによる摺動抵抗が発生するが、その摺動抵抗を減らすため大径部１２は曲面形状となっている。勿論、何れの方向からもノック部材８の操作が可能であるため、前記曲面形状は大径部１２の全周に亘って形成されている。
このように形成することで、ノック部材８の前端のいずれか一点を支点として揺動する。そのため、筆記時にノック部材の実質的にノック可能な部分をなるべく後方に形成することができ、誤ってノック部を押圧する機会を減らすことができる。また、このことによりノック部材８を前方に配置するなどのデザイン上、幅の広い設計をすることが可能となる。つまり、ノック部材８の前部或いは後部のいずれかに支点を設けることが可能である。
【実施例１】
【００３１】
次に図８、９に基づいて実施例１について説明する。本例は、ノック部材８の操作時の軸本体の強度を考慮した例である。本例では、ノック部材の操作方向は軸本体に対して垂直に行われるものであり、操作時に中軸１１の根元部１５に大きな負担が掛かってしまう。そこで、本例においては、前軸２の根元部１５に複数の縦リブ１６を形成すると共に、その縦リブ１６に干渉しない縦溝１７を駒台１３に形成している。これによって、操作時の根元部１５への負担を軽減することができる。尚、本例においては、前記縦リブ１６並びに、縦溝１７を放射状の４箇所に設けているが、これに限定されることは無く、３箇所であっても良いし、６箇所などであっても良い。
【実施例２】
【００３２】
次に図１０、１１に基づいて実施例２について説明する。本例は、指先での操作時にノック部材８が回転しないように回転止めを形成したものである。本例におけるノック部材８の操作方向は軸に対して垂直に行われるものであり、誤って円周方向に力を入れなければノック部材８は回転しない。しかし、誤った場合でも回転しないように、本例においてはノック部材８の上端に２本以上（本例は４本）のピン状の角部３２を形成すると共に、その角部３２に干渉しない角溝３３を後軸１の端面に形成している。尚、前記角部３２の頂部は半円弧状をなしており、角溝３３への挿着性を容易なものとしている。また、角部３２は操作時に傾きが発生し、その際、後軸１との干渉も発生してしまう危険性がある。よって、本例においては、角溝３３と角部３２との間は、前記傾きに対応できる間隙３４を設けてある。
【実施例３】
【００３３】
次に、図１２〜１４に基づいて実施例３について説明する。軸筒１ａは、後軸１と前軸２と中軸１１から構成されており、前軸２の内部には、チャック体４などを進退させる押圧摺動子５が設けられている。その押圧摺動子５の後方には１本以上（本例においては、対向した位置に設置された２本）から成る棒状の押圧伝達子６が配置されている。また、押圧摺動子５の前方には弾発部材２５が配置されている。中軸１１の外側には弾発部材３９が配置されており、長手方向に２本の縦溝４８が形成されている。また、中軸１１の後端は三角形状の切り欠き部５０が形成されて、前端には回り止め部５１が形成されており、その後方には周状突起が形成され、その周状突起によって前軸２に圧入固定される。前軸２には回り止め部５１を受けるように平面部が形成されている。押圧摺動子５にも平面部５３が形成されているが、これは前軸２に挿入可能とするためのものである。さらに、平面部５３は切り欠き部５４が形成されており、組み立て時の位置決めとなしている。
【００３４】
縦溝４８には、押圧伝達子６が没入しており、その後方には駒台１３が配置されている。駒台１３の内周面には長手方向に延設された突起部４９が２本形成され、その突起部４９も縦溝４８に没入する。ノック時にはこの突起部４９が押圧伝達子６を前方に押圧する。駒台１３の後方には、ノック部材８が配置されており、その後方には中継ぎ部材４７が中軸１１に圧入されている。中継ぎ部材４７の後方には後軸１が着脱可能に嵌合される。また、中継ぎ部材４７の内周面には長手方向に延設された突起部５５が２本形成されており、縦溝４８に没入することにより軸連結筒部５２との回転止めとなしている。また、前述の切り欠き部５０が組み立ての際の突起部５５の案内部となり、組み立てが容易なものとしている。
【００３５】
上記のように、中軸１１に形成された縦溝４８に押圧伝達子６を没入させることで、筆記具自体の強度を落とさずに軸筒を細く形成することができる。また、突起部４９、突起部５５も縦溝４８に没入させることで、上記同様に筆記具自体の強度を落とさずに軸筒を細く形成することができる。
【００３６】
次にノック動作時について説明する。ノック部材８は、中継ぎ部材４７を囲繞した状態で配置されている。ノック部材８を操作する際、ノック部材後端周上のいずれか１点とノック部材の囲繞部（中継ぎ部材４７もしくは中軸１１）との接点５６が、ノック部材が揺動する際の支点となる。
【００３７】
また、本例のように円周上のいずれの方向にもノック部分が存在する筆記具においては、ノック部分に指が触れることによる芯の没入を防止するために、押圧伝達子６の前方もしくは後方に間隙を作り、さらに駒台１３を後方に付勢する構成であるが、その間隙の分だけノックストロークが余分に必要となるため、ノックストロークを少しでも大きくすることが有用となる。
通常、駒台１３に形成された円錐面１３ａの傾斜角を大きくすることでもノックストロークは大きくすることができる。しかし、その場合ノックが重くなるという問題点がある。また、円錐面１３ａの傾斜角を変えずにノックストロークを大きくする場合、ノック部分を太く形成せざるを得ない。
【００３８】
そのため、本実施例においてはノック部材の後端周上の揺動時の支点をノック部材の軸線へ向かうノック方向に対して、その軸線を挟んだ反対側の位置にある１点に設けた。支点をこのような位置にするために、本例ではノック部材８の囲繞部前端をわずかに内側に傾斜させた。そうすることで、ノック部材８の囲繞部における押圧側が前方へ摺動し、その反対側の囲繞部（接点５６）がノック部材８の揺動時の支点となる。換言すると、ノック時における押圧側から１８０°円周に沿って回転した位置での、ノック部材８の後端部が支点となる。このように支点を設けることで、ノック部材８の駒台１３との接点が前方に出ることになる。これは、円弧運動を考えたとき、円の前端付近で見たときの前方方向への移動よりも、円の側面付近で見たときの前方方向への移動が大きいことによる。そのため、ノックを軽く、ノック部分を細く形成しても大きなノックストロークを得ることができる。
【００３９】
ここでコイルスプリングなどからなる弾発部材３９について詳述する。前述したように本例では、中軸１１の外側で駒台１３の前方には弾発部材３９が配置されており、駒台１３を後方に付勢している。なお弾発部材３９が弾発する被弾発部材は駒台１３に限定されることなく、前記チャック体の間における前記駒台の前後動を伝達する部材の少なくとも１つを弾発部材によって、ノック方向に抗うように付勢していればよい。
本例における弾発部材３９をより具体的に詳述する。弾発部材３９の外側、駒台１３と押圧摺動子５の間には、押圧伝達子６が貫通孔７を貫通するように設けられており、本例においてはその押圧伝達子６はどこにも固定されていない状態であるが、駒台１３又は押圧摺動子５に固定されていても一体に形成されていても良い。また、本例では押圧伝達子６を金属により構成したが、種々の樹脂成形品で構成してもよい。さらに、押圧伝達子６の前端又は後端と、駒台１３もしくは押圧摺動子５の間には間隙８ａが設けられている。すなわち、駒台１３と押圧摺動子５に空間部４６を設け、その空間部４６の長手方向の長さをＬ１、押圧伝達子の長手方向の長さをＬ２としたとき、Ｌ１＞Ｌ２となるように形成している。ただし、Ｌ１−Ｌ２はノックストロークよりも小さく、さらに芯を繰り出せるような長さのものとする。
【００４０】
芯に筆記圧がかかった際は、芯戻り止め部材による摩擦力と、チャックが後退しチャックリングによってチャックが締め付けられることによって得られる芯把持力の増加の２つの作用で、より強固な芯戻り防止作用を持つ。仮にチャックが後退することができなければ、芯把持力を増加させることができず、筆記の際、簡単に芯が戻ることになる。また、前述のチャック後退作用は軽くノック部分に指が触れているだけでも阻害されてしまう。そこで、間隙８ａを設けることで、ノック部にかかる力が、その間隙８ａが完全に埋めてしまうような力以下ならば、つまり駒台１３と押圧伝達子６が当接するような力以下ならば、ノック部に軽く指が触れてもチャック後退作用を阻害することはない。尚、この間隙８ａを埋めるまでの力は、弾発部材３９を介することでさらに大きくなり、通常の筆記動作において指間が筆記具に接触するときの力よりも大きいため、筆記中に芯が戻ることを防止することができる。上記のようにＬ１−Ｌ２＞０である限り、チャックの後退は阻害されず、Ｌ１−Ｌ２＝０となった場合に、チャックの後退が阻害され、芯が戻りやすくなる。その後、さらにノックを押し込むことで押圧摺動子５の前方への移動が開始され、芯が繰り出される。サイドノック式や後端ノック式の場合は、ノック部分に指が触れることは少ないが、本発明のよう円周上のいずれの方向にもノック部分が存在する筆記具においてはノック部分に指が触れる可能性が非常に高い。そのため、上記構成によるチャックの後退を阻害する要因を防止することは、非常に有効な手段となる。
【実施例４】
【００４１】
次に図１５に基づいて実施例４について説明する。本例は、油性や水性のボールペンに適用したものである。以下、具体的に説明する。
ノック部材８を円周上のいずれかから軸本体の軸線に対して押し込むことで、摺動子３６や回転子３７をカム溝３８に沿って前進させ、筆記体となるボールペン等の筆記具用リフィル先端を出没させる。押圧摺動子５の前方には、摺動子３６が位置しており、その摺動子３６の前方には、回転子３７が回転自在に配置されている。そして、それら摺動子３６と回転子３７にはカム歯が形成されており、そのカム歯が締筒２１の内面に形成されたカム溝３８に前後動可能に嵌まり込んでいる。所謂、ロータリー式の出没機構であるデビットカム機構が構成し配置されている。
なお、本例においては、間隙８ａは形成していないが、他の実施例のように間隙を設けてもよい。
【００４２】
次に動作について説明する。ノック部材８を円周上のいずれかから軸筒の軸線に対して押し込むと、駒台１３が前進すると共に押圧摺動子５が弾発部材２５の弾発力に抗して前進し、その押圧摺動子５の前進に伴って摺動子３６や回転子３７が回転しながら前進し、その前進した位置でカム溝３８が係合し、その前進位置が保持される。この回転子３７の前進、並びに、係合動作によって筆記具用リフィル先端が突出し筆記可能となる。ここで、再びノック部材８を軸本体の軸線に対して押し込むと、再び前記回転子３７が回転し、前記カム溝３８との係合が解除される。このとき、回転子３７や筆記具用リフィルは、弾発部材２５の弾発力によって後方へと移動し、筆記具用リフィル先端が没入した状態へと復帰する。
【実施例５】
【００４３】
次に図１６に基づいて実施例５について説明する。本例はノック部材８の前端近傍の軸筒の径Ｒ１をノック部材８の最大径ｒよりも大きく形成したものである。より具体的には、グリップ３とノック部材８の間の軸筒に大径部を設けたものである。特に、グリップの後方を握って筆記した際に、母指、示指、中指がノック部材８に触れる可能性が高いため、このように形成することでさらなる芯戻り防止作用を奏する。
図１７に本実施例における変形例を示す。本例はノック部材８の後端近傍の軸筒の径Ｒ２をノック部材８の最大径ｒよりも大きく形成したものである。より、具体的には、筆記具を把持した際の指間当接部に大径部を設けたものである。強い筆圧で筆記具を紙面に対し立てて筆記した場合等は、指間がノック部材８に触れてしまう可能性が高いため、このように形成することでさらなる芯戻り防止作用を奏する。
図１８、１９に本実施例におけるさらなる変形例を示す。本例は、ノック部材８の前端近傍及び後端近傍の軸筒の径Ｒ１、Ｒ２を、ノック部材の最大径ｒよりも大きくした。具体的には、図１８のように、グリップ３とノック部材８の間の軸筒と、筆記具を把持した際の指間当接部の両方に大径部を設けたものや、図１９のようにノック部材８の最大径ｒをその両端近傍の軸筒の径Ｒ１、Ｒ２よりも小さくしたものが考えられる。
以上のように形成することで、さらにノック部材８に手や指が接触する可能性を小さくすることができる。また、仮に接触したとしても、ノック部材８の最大外径よりも、その前後の軸筒の外径の方が大きいため、手や指のノック部材８への接触荷重を軽減することができる。そのため、本例においては実施例４と比較して、さらなる芯戻り防止作用を奏することができる。
【実施例６】
【００４４】
次に図２０に基づいて実施例６について説明する。本例は、後軸１を棒状体繰り出し装置と一体的に構成したものである。前記棒状体繰り出し装置について以下に詳述する。後軸１の内壁面には螺旋溝４１が形成されており、また、後軸１の内側には棒状体案内部材４２が回転自在に配置されている。その棒状体案内部材４２の長手方向にはスリットが対向した位置に形成されている。その棒状体案内部材４２の内面には、棒状体受け部材４３が前後動可能に配置されているが、その棒状体受け部材４３の側面には突起４４が対向した位置に形成されており、前述のスリットを介して螺旋溝４１に螺合している。つまり、後軸１と棒状体案内部材４２を相対的に回転させると、棒状体受け部材４３が前後動し、その前後動に伴って棒状体受け部材４３に取り付けられている消しゴム２９も前後動し、その消しゴム２９が棒状体案内部材４２の後端に形成された鍔部４５から出没するのである。また、前軸２の後方には中継ぎ部材４７が圧入固定されており、その中継ぎ部材４７は後軸と着脱自在に取り付けられ、芯の補充を容易に行うことができる。
【００４５】
本例においてはクリップ３１を鍔部４５に固定してある。この構成により、クリップを回転させることで消しゴム２９を繰り出すことができ、片手で消しゴムの繰り出しを行うことができる。また、この棒状体繰り出し装置は、後軸１と前軸２の相対的な回転により繰り出され、後軸１にクリップ３１が固定されているような構成であってもよい。つまり、クリップの回転と繰り出し操作を連動させたものであればよい。
【００４６】
本来、上記のようにクリップの回転と棒状体の繰り出しを連動させた構成であれば、消しゴムを繰り出すたびにクリップが邪魔にならないよう持ち変えたり、再度クリップを回す必要があったが、本発明のように全周にわたってノックできる構成をとることにより、クリップを回転させることなく、最小のノック動作で筆記を続けることができる。
【実施例７】
【００４７】
図２１に基づいて実施例７について説明する。本例は、実施例３における間隙８ａに弾性体５７を配置したものである。前述の実施例３と同様に、間隙８ａはこの位置に限定されるものではなく、ノック部材８の操作を筆記体に伝達するために当接する伝達当接部８ｄ間であればよい。その際、ノック部材８と駒台１３の間に間隙８ａを設けた場合は、ノック部材８は前後に移動可能に係止されることになるため、筆記具前方を下に向けた場合には、ノック部材８の後端と後軸１の間に間隙ができることとなる。
本例のように、間隙８ａを弾性体５７で満たした場合においても、弾性体５７にてノック部材８のわずかな動作を吸収できるため、実施例３と同様に芯の没入を防止することができる。なお、弾性体５７としてはコイルスプリング、スポンジ、ゴム等が挙げられる。また、弾性体５７と押圧伝達子６などの部材を一部材で形成しても良い。そうすることによって駒台１３を付勢するためのコイルスプリングからなる弾発部材３９をなくしたとしても、ノック部材のがたつきをなくすことが出来ると共に、部品点数を減らすことができる。もちろん、弾性体５７は間隙を設ける位置によって、ノック部材８と駒台１３の間、駒台１３と押圧伝達子６の間、押圧伝達子６と押圧摺動子５の間、押圧摺動子５とチャック体４の被伝達部８ｂの間、ノック部材８の後端と後軸１の間のいずれに設けても良い。
【図面の簡単な説明】
【００４８】
【図１】本発明の一形態を示す正面外観図。
【図２】図１の縦断面図。
【図３】図２のＡ−Ａ断面図。
【図４】変形例を示す縦断面図。
【図５】変形例のノック部材の分解斜視図。
【図６】ノック時を示す縦断面図。
【図７】さらなる変形例を示す縦断面図。
【図８】実施例１を示す縦断面図。
【図９】図８のＢ−Ｂ断面図。
【図１０】実施例２を示す要部縦断面図。
【図１１】図１０のＣ−Ｃ断面図。
【図１２】実施例３を示す縦断面図。
【図１３】図１２における半断面図。
【図１４】実施例３の動作を示す縦断面図。
【図１５】実施例４を示す縦断面図。
【図１６】実施例５の正面外観図。
【図１７】実施例５の変形例を示す正面外観図。
【図１８】実施例５の変形例を示す正面外観図。
【図１９】実施例５の変形例を示す正面外観図。
【図２０】実施例６を示す縦断面図。
【図２１】実施例７を示す縦断面図。
【符号の説明】
【００４９】
１      後軸
１ａ    軸筒
２      前軸
２ａ    仕切り壁
３      グリップ
４      チャック体
５      押圧摺動子
５ａ    段
６      押圧伝達子
７      貫通孔
８      ノック部材
８ａ    間隙
８ｂ    被伝達部
８ｃ    伝達部
８ｄ    伝達当接部
８ｅ    固定部
９      小径部
１０    弾性リング
１１    中軸
１２    大径部
１３    駒台
１３ａ  円錐面
１３ｂ  当接部
１３ｃ  円錐部
１４    貫通穴
１５    根元部
１６    縦リブ
１７    縦溝
１８    芯筒
１９    受け板
２０    チャックリング
２１    締筒
２２    連結部
２３    先金
２４    芯戻り止め部材
２５    弾発部材
２６    貫通孔
２７    連結部
２８    軟質部材
２９    消しゴム
３０    キャップ
３１    クリップ
３２    角部
３３    角溝
３４    間隙
３５    段部内面
３６    摺動子
３７    回転子
３８    カム溝
３９    弾発部材
４０    面取り部
４１    螺旋溝
４２    棒状体案内部材
４３    棒状体受け部材
４４    突起
４５    鍔部
４６    空間部
４７    中継ぎ部材
４８    縦溝
４９    突起部
５０    切り欠き部
５１    回り止め部
５２    軸連結筒部
５３    平面部
５４    切り欠き部
５５    突起部
５６    接点
５７    弾性体
【図１】
0005262088.tif 000002
【図２】
0005262088.tif 000003
【図３】
0005262088.tif 000004
【図４】
0005262088.tif 000005
【図５】
0005262088.tif 000006
【図６】
0005262088.tif 000007
【図７】
0005262088.tif 000008
【図８】
0005262088.tif 000009
【図９】
0005262088.tif 000010
【図１０】
0005262088.tif 000011
【図１１】
0005262088.tif 000012
【図１２】
0005262088.tif 000013
【図１３】
0005262088.tif 000014
【図１４】
0005262088.tif 000015
【図１５】
0005262088.tif 000016
【図１６】
0005262088.tif 000017
【図１７】
0005262088.tif 000018
【図１８】
0005262088.tif 000019
【図１９】
0005262088.tif 000020
【図２０】
0005262088.tif 000021
【図２１】
0005262088.tif 000022